(57)【要約】【課題】心電図（ＥＣＧ）における複数の誘導のうちの１つ又は２つ以上のインピーダンスを測定するための、システム及び方法を提供すること。【解決手段】システム及び方法は、複数の誘導を患者の身体に適用することと、複数のインピーダンスパッドを患者の身体に適用することと、ＥＣＧのカテーテル電極からバーストパルスを提供することと、複数のインピーダンスパッド及び複数の誘導のうちのいくつかにわたるインピーダンス信号を測定することと、測定されたインピーダンス信号から１つ又は２つ以上の誘導に対するインピーダンスを決定することと、を含み得る。この複数のインピーダンスパッドは、患者の胸部右側から患者の胸部左側までの第１の軸、患者の胸部上側領域から患者の下腹部領域までの第２の軸、及び患者の背中の中心から患者の胸部の中心までの第３の軸を画定し得る。【選択図】図１
2020099697.tif 000002
【特許請求の範囲】
【請求項１】
心電図（ＥＣＧ）を行い、インピーダンスを測定するためのシステムであって、
電気信号を捕捉するために被験者に取り付けるための複数の誘導と、
前記捕捉された電気信号を処理する信号プロセッサと、
前記処理捕捉された電気信号を出力する出力装置と、
を備え、
測定のインピーダンスが監視され、前記信号プロセッサは、前記処理捕捉された電気信号からインピーダンスを除去する、システム。
【請求項２】
前記測定に対するインピーダンス情報を提供するように構成された複数のインピーダンスパッドを更に備える、請求項１に記載のシステム。
【請求項３】
カテーテル電極が、前記インピーダンス情報の測定を可能にするために、バーストパルスを提供する、請求項２に記載のシステム。
【請求項４】
前記測定に対する前記インピーダンス情報が、前記複数の電極の対にわたって測定されている、請求項１に記載のシステム。
【請求項５】
心電図（ＥＣＧ）における複数の誘導のうちの１つ又は２つ以上のインピーダンスを測定するための方法であって、
複数の誘導を患者の身体に適用することと、
複数のインピーダンスパッドを前記患者の身体に適用することと、
前記ＥＣＧのカテーテル電極からバーストパルスを提供することと、
前記複数のインピーダンスパッド及び前記複数の誘導のうちのいくつかにわたるインピーダンス信号を測定することと、
前記測定されたインピーダンス信号から１つ又は２つ以上の誘導に対するインピーダンスを決定することと、
を含む、方法。
【請求項６】
前記複数のインピーダンスパッドが、前記患者の胸部右側から前記患者の胸部左側までの第１の軸を画定する、請求項５に記載の方法。
【請求項７】
前記複数のインピーダンスパッドが、前記患者の胸部上側領域から前記患者の下腹部領域までの第２の軸を画定する、請求項５に記載の方法。
【請求項８】
前記複数のインピーダンスパッドが、前記患者の背中の中心から前記患者の胸部の中心までの第３の軸を画定する、請求項５に記載の方法。
【請求項９】
前記複数の誘導が、標準的な１２誘導ＥＣＧを含む、請求項５に記載の方法。
【請求項１０】
前記複数の誘導が、３つの四肢誘導を含む、請求項５に記載の方法。
【請求項１１】
前記複数の誘導が、冠状面においてスポーク状に配置された３つの増高肢誘導を含む、請求項５に記載の方法。
【請求項１２】
前記複数の誘導が、鉛直横断面上に構成された６つの胸部誘導を含む、請求項５に記載の方法。
【請求項１３】
心電図（ＥＣＧ）における複数の誘導のうちの１つ又は２つ以上のインピーダンスを測定するための方法であって、
複数の誘導を患者の身体に適用することと、
ＥＣＧ測定間の期間中に前記複数の誘導のうちの対になった誘導にわたるインピーダンス信号を測定することと、
を含む、方法。
【請求項１４】
前記複数の誘導が、標準的な１２誘導ＥＣＧを含む、請求項１３に記載の方法。
【請求項１５】
前記複数の誘導が、３つの四肢誘導を含む、請求項１３に記載の方法。
【請求項１６】
前記複数の誘導が、冠状面においてスポーク状に配置された３つの増高肢誘導を含む、請求項１３に記載の方法。
【請求項１７】
前記複数の誘導が、鉛直横断面上に構成された６つの胸部誘導を含む、請求項１３に記載の方法。
【請求項１８】
前記複数の誘導のうちのいくつかがそれぞれ、前記複数の誘導のうちの隣接する誘導と対になっている、請求項１３に記載の方法。
【請求項１９】
前記対が、前記複数の誘導のうちの前記いくつかのそれぞれに対して２つのインピーダンス測定値を提供する、請求項１８に記載の方法。
【請求項２０】
前記２つのインピーダンス測定値が平均化されて、前記誘導のインピーダンスを提供する、請求項１９に記載の方法。
【発明の詳細な説明】
【技術分野】
【０００１】
本発明は、本明細書ではＥＣＧと呼ばれ、ＥＫＧと呼ばれる場合もある心電図検査に関するものである。より具体的には、本発明は、ＥＣＧのノイズを防止するためにバーストパルスを使用したインピーダンス測定に関連する。
【背景技術】
【０００２】
現在、心電図検査（本明細書ではＥＣＧと呼ばれ、ＥＫＧと呼ばれる場合もある）は、患者の身体のインピーダンスによって、プローブを患者の身体に接続するための接触のインピーダンスによって、及び接続自体からのインピーダンスによって、影響を受ける。ＥＣＧを理解して読み取るために、このインピーダンスを考慮する必要がある。医師がＥＣＧを使用して心臓の活動を分析するとき、心臓からの電気信号を効果的に分離するために、インピーダンスを考慮する必要性が生じる。インピーダンスを決定するための従来の試みは、周波数多重化を使用して行われてきた。これらの周波数多重化の試みでは、インピーダンスを測定するために他の周波数が使用される。これらの他の周波数は、概して高周波であり、心臓からの電気信号の測定に干渉しない。しかしながら、著しく異なる周波数を使用することは、インピーダンスの測定の精度に影響する。すなわち、その応答は、信号の周波数によって変化することがあり、周波数の差により、周波数多重化は精度に影響を及ぼす傾向がある。したがって、インピーダンスを測定する改善された方法を提供する必要性が存在し、これによってそのようなインピーダンスの影響をＥＣＧ分析から除去することができ、それによって心臓の電気信号をより明確に識別することができる。
【図面の簡単な説明】
【０００３】
より詳細な理解は、添付の図面と併せて実例として示される下記の説明文より得ることができる。
【図１】ノイズを防止するためにバーストパルスを使用してインピーダンス測定を実行するためのＥＣＧ装置のブロック図を示す。
【図２】図１の装置と併せてインピーダンスを測定するためのインピーダンスパッドを使用したインピーダンス構成の描写を示す。
【図３】図１の装置と併せて使用する誘導構成の描写を示す。
【図４】単極構成におけるバーストパルスを使用したインピーダンスを測定するための本発明の方法を示す。
【図５】双極構成におけるインピーダンスを測定するための本発明の方法を示す。
【発明を実施するための形態】
【０００４】
本明細書でＥＣＧと呼ばれ、ＥＫＧと呼ばれる場合もある心電図検査は、皮膚上に配置された電極を使用してある期間にわたった心臓の電気的活動を、又は特殊なカテーテルを使用して心臓内部の電気的活動（すなわち心内ＥＣＧ）を記録するプロセスである。これらの電極は、各心拍中の心筋の脱分極の電気生理学的パターンから発生する小さい電位変化を検出する。ＥＣＧは、心臓検査で一般的又は日常的に行われている。
【０００５】
心臓内電位図（ＩＣＥＧ）は、いくつかの追加の心内誘導（すなわち、心臓の内部にある）を備えたＥＣＧである。そのような電位図は、従来の１２誘導心電図と組み合わせて又は代わりに、利用されてもよい。従来の１２誘導ＥＣＧでは、患者の四肢及び胸部の表面に１０個の電極が配置される。次に、心臓の電位の全体の大きさが１２の異なる角度（「誘導」）から測定され、ある期間にわたって記録される。この手技の時間の長さは、数十分〜数時間で異なり得る。各手技中に、通常は、数十回のアブレーションセッションがあり、各セッションは、例えば、数秒から最長で約１分続く。例として、従来の１２誘導ＥＣＧは、例えば１０秒間といった期間にわたって行うことができる。このようにして、心臓の電気的脱分極の全体の大きさ及び方向が、心周期の全体を通じた各瞬間に捕捉される。この医療手技によって得られる時間に対する電圧のグラフは、心電図と呼ばれる。
【０００６】
各心拍の間、健康な心臓は規則的な脱分極の進行過程を経る。この規則的な脱分極のパターンは、特徴的なＥＣＧトレーシングを生じる。ＥＣＧは、訓練された医師に、心臓の構造及びその電気的伝導システムの機能についての大量の情報を伝えるものである。とりわけ、ＥＣＧは、心拍の速度及びリズム、心腔の大きさ及び位置、心臓の筋細胞又は伝導システムの損傷の存在、心臓病の薬剤の作用、並びに植え込まれたペースメーカーの機能を測定するために使用することができる。ＥＣＧの解釈は、基本的には心臓の電気的伝導システムを理解することに関する。通常の伝導は、予測可能なパターンで開始及び伝播し、このパターンからの逸脱は通常の変動であるか又は病気によるものであり得る。
【０００７】
しかしながら、心臓の電気伝導系からの信号を確認するためには、測定された信号は、任意の不必要で偽性の信号又はノイズを除去するために、フィルタにかけられる必要がある。
【０００８】
心電図（ＥＣＧ）における複数の誘導のうちの１つ又は２つ以上のインピーダンスを測定するための、システム及び方法が開示される。このシステム及び方法は、複数の誘導を患者の身体に適用することと、複数のインピーダンスパッドを患者の身体に適用することと、ＥＣＧのカテーテル電極からバーストパルスを提供することと、複数のインピーダンスパッド及び複数の誘導のうちのいくつかにわたるインピーダンス信号を測定することと、測定されたインピーダンス信号から１つ又は２つ以上の誘導に対するインピーダンスを決定することと、を含み得る。この複数のインピーダンスパッドは、患者の胸部右側から患者の胸部左側までの第１の軸を画定する。この複数のインピーダンスパッドは、患者の胸部上側領域から患者の下腹部領域までの第２の軸を画定する。この複数のインピーダンスパッドは、患者の背中の中心から患者の胸部の中心までの第３の軸を画定する。この複数の誘導は、３つの四肢誘導と、冠状面においてスポーク状に配置された３つの増高肢誘導と、鉛直横断面上に構成された６つの胸部誘導と、を含む標準的な１２誘導ＥＣＧを含む。
【０００９】
このシステム及び方法は、代替的に、複数の誘導を患者の身体に適用することと、ＥＣＧ測定間の期間中に複数の誘導のうちの対になった誘導にわたるインピーダンス信号を測定することと、を含んでもよい。この複数の誘導は、３つの四肢誘導と、冠状面においてスポーク状に配置された３つの増高肢誘導と、鉛直横断面上に構成された６つの胸部誘導と、を含む標準的な１２誘導ＥＣＧを含む。この複数の誘導はそれぞれ、複数の誘導のうちの隣接する誘導と対になっている。
【００１０】
ＥＣＧを行い、インピーダンスを測定するためのシステムは、電気信号を捕捉するために被験者に取り付けるための複数の誘導と、その捕捉された電気信号を処理する信号プロセッサと、その処理捕捉された電気信号を出力する出力装置と、を含み、測定のインピーダンスが監視され、信号プロセッサは、処理捕捉された電気信号からインピーダンスを除去する。このシステムは、測定に対するインピーダンス情報を提供するように構成された複数のインピーダンスパッドを含んでもよい。カテーテル電極は、インピーダンス情報の測定を可能にするために、バーストパルスを提供することができる。このシステムは、代替的に、複数の電極の対にわたるインピーダンス情報を測定してもよい。
【００１１】
図１は、バーストパルスを使用したインピーダンス測定を利用し得る装置１００のブロック図を示す。装置１００は、ＥＣＧ機械の形態をとってもよい。装置１００は、単一の多重化入力１１５にまとめられた一連の誘導１１０を有している。一連の誘導１１０は、ヒト被験者１０５の体表に配置することができる。追加の誘導１０７は、一連の誘導１１０に含まれてもよく、又は（図に示されるように）これとは別の心内誘導１０７であってもよい。
【００１２】
心内誘導１０７は、患者１０５の心臓１２６内の電位をマッピングするためなど、診断又は治療処置に使用することができる。また、心内誘導１０７は、必要な変更を加えて、心臓又は他の体内の臓器において他の治療及び／又は診断目的で使用することもできる。
【００１３】
心内誘導１０７は、心内誘導１０７の遠位端１３２が患者の心臓１２６の心腔内に入るように、患者１０５の脈管系内に挿入されてもよい。図１は、単一の位置センサを有する単一の誘導１０７を示しているが、本発明の実施形態は、複数の位置センサを有するプローブを利用してもよい。
【００１４】
一連の誘導１１０からの信号は、入力マルチプレクサ１２０を介してアナログフロントエンド１２５に入力される。アナログフロントエンド１２５は、プロセッサ１３０へ供給され、プロセッサ１３０によって制御される。図に示されるように、プロセッサ１３０は、ビデオコントローラ１３５、デジタル信号プロセッサ１４０、マイクロプロセッサ１４５、及びマイクロコントローラ１５０を含むことができる。プロセッサ１３０は、データ格納部１５５に連結されている。データポート及びプリンタ１６０をプロセッサ１３０に連結することができる。他の入力／出力装置１６５もプロセッサ１３０に連結することができる。ディスプレイ１７０を用いてＥＣＧの信号の出力を与えることができる。装置１００が動作するための電力を供給するために、電力／電池管理システム１７５を備えていてもよい。
【００１５】
一連の誘導１１０は、一般に使用される形態の電極を含み、また、ＥＣＧ処置に使用される誘導も含み得る。一連の誘導１１０のそれぞれは、心電計と電気回路を形成する身体１０５と接触した導電性パッドを有することができる。標準的な１２誘導ＥＣＧでは、誘導１１０は１０本のみである。一連の誘導１１０は、四肢、増高肢、及び前胸部の３群に分類され得る。一般に、１２誘導ＥＣＧは、冠状面（垂直面）内で車輪のスポークのように配置された合計３つの肢誘導及び３つの増高肢誘導、並びに鉛直横断面（水平面）上にある６つの胸部誘導を有する。
【００１６】
アナログフロントエンド１２５は、一連の誘導１１０からの信号を受信し、信号のフィルタリングなどのアナログ処理を行う。
【００１７】
データ格納部１５５は、情報を記録する任意の装置である。データ格納部は、装置１００に含まれる信号の記憶媒体及び格納されるプロセッサ１３０の計算用の場所を与え得る。
【００１８】
マイクロプロセッサ１４５は、コンピュータの中央演算装置（ＣＰＵ）の機能を１個の集積回路（ＩＣ）又は数個の集積回路上に組み込んだコンピュータプロセッサとすることができる。マイクロプロセッサ１４５は、汎用型のクロック駆動式レジスタベースのプログラム可能な電子装置とすることができ、デジタル又はバイナリデータを入力として受理し、これをメモリ又はデータ格納部１５５に格納された命令に従って処理し、結果を出力として与える。マイクロプロセッサ１４５は、組み合わせ論理及び順序デジタル論理の両方を含んでいる。
【００１９】
マイクロコントローラ１５０は、１個の集積回路上の１つ又は２つ以上の小型コンピュータとすることができる。マイクロコントローラ１５０は、１つ又は２つ以上のＣＰＵと共にメモリ及びプログラム可能な入力／出力周辺機器を有することができる。強誘電性のＲＡＭ、ＮＯＲフラッシュ、又はＯＴＰ  ＲＯＭの形態のプログラムメモリ、及び少量のＲＡＭもまた、チップ上にしばしば含まれる。マイクロコントローラは、パーソナルコンピュータ又は様々な個別のチップで構成された他の汎用用途で使用されるマイクロプロセッサとは対照的に、組み込み型用途に合わせた設計を有する。
【００２０】
デジタル信号プロセッサ１４０は、デジタル信号処理を行って種々様々の信号処理演算を行ってもよい。このようにして処理された信号は、時間、空間、又は周波数などのドメイン内の連続変数のサンプルを表す一連の数値である。デジタル信号処理は、線形又は非線形演算を含み得る。非線形信号処理は、非線形システム識別と密接に関連しており、時間、周波数、及び時空間ドメイン内で実行することができる。デジタルコンピューテーションの信号処理への応用は、送信のエラー検出及び補正、並びにデータ圧縮などの多くの用途でアナログ処理と比較して多くの利点を得ることができる。ＤＳＰは、ストリーミングデータ及びスタティック（格納）データの両方に適用することができる。
【００２１】
図２は、図１の装置と併せてインピーダンスを測定するためのインピーダンスパッドを使用したインピーダンス構成２００の描写を示す。構成２００は、患者２５０に対する３つの軸のそれぞれにおけるインピーダンスを測定するように構成された一連のインピーダンスパッドを含む。第１の軸の第１のインピーダンスパッド２０５は、患者２５０の胸部の右側に配置され得る。パッド２０５は、患者２５０の胸部の左側に位置する第１の軸の第２のインピーダンスパッド２１０を伴う軸（第１の軸）（図２に水平に示される）を形成することができる。
【００２２】
第２のインピーダンス軸（第２の軸）（図２に垂直に示される）は、第２の軸の第１のインピーダンスパッド２１５及び第２の軸の第２のインピーダンスパッド２２０によって画定され得る。第２の軸の第１のインピーダンスパッド２１５は、患者２５０の胸部上側又は喉に配置され得る。第２の軸の第２のインピーダンスパッド２２０は、患者２５０の腹部に位置し得る。
【００２３】
第３のインピーダンス軸（第３の軸）（図２のページで入口と出口として示される）は、第３の軸の第１のインピーダンスパッド２２５と第３の軸の第２のインピーダンスパッド２３０とによって画定され得る。第３の軸の第１のインピーダンスパッド２２５は、患者２５０の背中の中心に配置され得る。第３の軸の第２のインピーダンスパッド２３０は、患者２５０の胸部の中心に配置され得る。
【００２４】
ＥＣＧ検査でインピーダンス測定を調整するための本システムは、カテーテル電極（図２には図示せず）から患者２５０の体表の６つのパッド２０５、２１０、２１５、２２０、２２５、２３０へと伝送される電気信号を利用して、インピーダンスを測定する。ＥＣＧ処置に習熟している当業者には理解されるように、カテーテル電極は、患者の心臓内に直接位置してもよい。例えば、カテーテルは、患者の心臓内に挿入されてもよい。カテーテル電極は、例えば、カテーテルのシャフトの先端に収容されてもよい。カテーテル電極は、１ミリアンペア未満から１００マイクロアンペアまでの低周波電気信号のバーストパルスを発し、これは、患者２５０の身体上の６つのパッド２０５、２１０、２１５、２２０、２２５、２３０によって吸収される。一般に、パッド２０５、２１０、２１５、２２０、２２５、２３０及びカテーテル電極の使用は、単極測定である。バーストパルスは、インピーダンスの測定及び除去における周波数誤差があればそれを除去するために、ＥＣＧ中に測定される信号と同じ、又はほぼ同じ周波数であってもよい。
【００２５】
あくまで一例として、ＥＣＧ検査における各チャネルは、１／６４０秒の測定時間で毎秒２０，０００回サンプリングされ得る。これにより、測定間の約わずか１／２００００秒未満の時間で、時間多重化を用いてインピーダンスを測定することができる。より具体的には、この実施例では、測定間の時間は１／１９２００秒であり得る。
【００２６】
カテーテルからのバーストパルスは、ＥＣＧが心臓から電気信号をサンプリングしていないときに提供され得る。この時間多重化は、ＥＣＧ読み取り値との干渉を回避する。このシステムは時間多重化（周波数多重化ではない）を使用するため、バーストパルスには任意の周波数を使用することができる。これにより、インピーダンスを測定するために使用される周波数と同じ又はほぼ同じ周波数での信号を使用することができる。心臓からの電気信号は、連続的にサンプリングされず、単に多重でサンプリングされる。したがって、カテーテル電極は、心臓からの電気信号がサンプリングされていないときに使用され得る。典型的な値は、約１００〜２００オームである。
【００２７】
図３は、図１の装置と併せて使用する誘導構成３００の描写を示す。誘導構成３００は、患者３５０に関する電気信号を測定するように構成された一連の誘導を含む。一般に、身体の特定の部分に接続された１０個の誘導が存在する。この誘導は、６つの胸部誘導３２５及び４つの周辺誘導３３５の２つの群である。
【００２８】
６つの胸部誘導３２５は、一般に、患者３５０の胸郭に対して配置される。第１の胸部誘導３２５１は、患者３５０の胸部の中心付近に位置する。側部誘導３２５６は、患者３５０の身体の側面に位置する。他の胸部誘導３２５２、３２５３、３２５４、３２５５は、第１の胸部誘導３２５１と側胸部誘導３２５６との間に位置する。単に情報として、胸部誘導３２５２は、患者３５０の第４肋間腔と胸骨との交点に位置する。胸部誘導３２５４は、鎖骨の中央に揃い、第５肋間腔内に位置する。胸部誘導３２５３は、胸部誘導３２５２と胸部誘導３２５４との中間に配置され得る。胸部誘導３２５５は、腋窩下領域の第５肋間腔内に位置し得る。
【００２９】
４つの周辺誘導３３５は、左右の手首及び左右の脚部で信号を捕捉するように位置し得る。腕及び脚からの信号を参照している間、これらの誘導は、肩部及び腹部（図に示す）に、又は四肢上に直接位置してもよい。例えば、誘導３３５ＲＡは、患者３５０の右肩に位置してもよく、誘導３３５ＬＡは、患者３５０の左肩に位置してもよく、誘導３３５ＲＬは、患者３５０の右下腹部に位置してもよく、３３５ＲＬは患者３５０の左下腹部に位置してもよい。個別に、誘導は、各誘導が単独で動作する単極構成で説明されるように利用することができる。このような誘導は、例えば、一緒にされ、接地又はパッドに結び付けられてもよい。
【００３０】
あるいは、誘導は、双極構成で使用されてもよい。すなわち、誘導は、誘導間で収集された信号と共に対で使用されてもよい。例えば、仮想のアイントホーフェンの三角形を横切る誘導が使用されてもよい。
【００３１】
インピーダンスは、１つの誘導から別の誘導に送信することによって測定することができる。このようなインピーダンス測定は、患者３５０の身体に既に含まれている誘導３２５を利用することができ、したがって、図２に関して示され、説明されたパッドを必要としない場合がある。２つの誘導間のインピーダンスの測定は、インピーダンスの双極測定と呼ばれる。
【００３２】
双極測定における誘導の使用は、直近の測定から最も遠い誘導がインピーダンスを測定するために使用され得るという、更なる利益を提供することができる。例えば、心臓の電気信号が誘導１及び２上で測定されている場合、インピーダンスは誘導１６及び１７で測定され得る。誘導は、２つの電極間のリンクとして定義されてもよい。例えば、誘導１は、誘導３３５ＬＡと誘導３３５ＲＡとの間のリンクであると定義され得る。誘導２は、誘導３３５ＲＡと誘導３３５ＬＬとの間のリンクを含み得る。誘導３は、誘導３３５ＬＡと誘導３３５ＬＬとの間のリンクを含み得る。使用され得る１つのパターンは、例えば、ある電極を隣接する電極に接続して対を形成することである。本明細書に含まれる開示に基づいて当業者には明らかであるように、電極の組み合わせから形成される他の誘導も使用することができる。
【００３３】
双極動作中、最小２０ｋＨｚのサンプリングで双極インピーダンス測定を行う機会の範囲は、電極当たり５０μｓが提供される。この測定を達成するために、マルチプレクサは、２つの電極間のインピーダンスを３μｓにわたって測定する接続を提供することができる。最大２００ｋＨｚまでのサンプリングを利用することができる。所与の機会の範囲の間に、単一の誘導のみが接続され、Ｎ−１個の誘導は接続されていない。
【００３４】
図４は、単極構成で実行され得る方法４００を示す。方法４００は、工程４１０で複数の誘導を適用することを含む。工程４２０において、方法４００は、複数のインピーダンスパッドを適用することを含む。工程４３０において、カテーテル電極からバーストパルスを印加することによって、単極インピーダンス測定が行われ得る。工程４４０において、複数のインピーダンスパッド及び複数の誘導のうちのいくつかにわたって、複数の測定が行われ得る。工程４５０において、１つ又は２つ以上の誘導のインピーダンスは、複数の測定値から決定され得る。
【００３５】
図５は、双極構成で実行され得る方法５００を示す。方法５００は、工程５１０で複数の誘導を適用することを含む。工程５２０において、ＥＣＧ測定間に、誘導の対のうちのいくつかにわたって双極インピーダンス測定が行われ得る。
【００３６】
本方法は、汎用コンピュータ、プロセッサ、又はプロセッサコアにおいて実施することができる。好適なプロセッサとしては、例として、汎用プロセッサ、専用プロセッサ、従来型プロセッサ、デジタルシグナルプロセッサ（ＤＳＰ）、複数のマイクロプロセッサ、ＤＳＰコアと関連する１つ若しくは２つ以上のマイクロプロセッサ、コントローラ、マイクロコントローラ、特定用途向け集積回路（ＡＳＩＣ）、フィールドプログラマブルゲートアレイ（ＦＰＧＡ）回路、任意の他の種類の集積回路（ＩＣ）、及び／又は状態機械が挙げられる。このようなプロセッサは、処理されたハードウェア記述言語（ＨＤＬ）命令、及びネットリスト等の他の中間データ（このような命令は、コンピュータ可読媒体に格納することが可能である）の結果を用いて製造プロセスを構成することにより、製造することが可能である。このような処理の結果はマスクワークであり得、このマスクワークを次に半導体製造プロセスにおいて用いて、本開示の特徴を実施するプロセッサを製造する。
【００３７】
本明細書に提供される方法又はフローチャートは、汎用コンピュータ又はプロセッサによる実施のために非一時的コンピュータ可読記憶媒体に組み込まれるコンピュータプログラム、ソフトウェア、又はファームウェアにおいて実施することができる。非一時的コンピュータ可読記憶媒体の例としては、読み取り専用メモリ（ＲＯＭ）、ランダムアクセスメモリ（ＲＡＭ）、レジスタ、キャッシュメモリ、半導体メモリ装置、磁気媒体、例えば内蔵ハードディスク及びリムーバブルディスク、磁気光学媒体、並びに光学媒体、例えば、ＣＤ−ＲＯＭディスク及びデジタル多用途ディスク（ＤＶＤ）が挙げられる。
【００３８】
〔実施の態様〕
（１）  心電図（ＥＣＧ）における複数の誘導のうちの１つ又は２つ以上のインピーダンスを測定するための方法であって、
複数の誘導を患者の身体に適用することと、
複数のインピーダンスパッドを前記患者の身体に適用することと、
前記ＥＣＧのカテーテル電極からバーストパルスを提供することと、
前記複数のインピーダンスパッド及び前記複数の誘導のうちのいくつかにわたるインピーダンス信号を測定することと、
前記測定されたインピーダンス信号から１つ又は２つ以上の誘導に対するインピーダンスを決定することと、
を含む、方法。
（２）  前記複数のインピーダンスパッドが、前記患者の胸部右側から前記患者の胸部左側までの第１の軸を画定する、実施態様１に記載の方法。
（３）  前記複数のインピーダンスパッドが、前記患者の胸部上側領域から前記患者の下腹部領域までの第２の軸を画定する、実施態様１に記載の方法。
（４）  前記複数のインピーダンスパッドが、前記患者の背中の中心から前記患者の胸部の中心までの第３の軸を画定する、実施態様１に記載の方法。
（５）  前記複数の誘導が、標準的な１２誘導ＥＣＧを含む、実施態様１に記載の方法。
【００３９】
（６）  前記複数の誘導が、３つの四肢誘導を含む、実施態様１に記載の方法。
（７）  前記複数の誘導が、冠状面においてスポーク状に配置された３つの増高肢誘導を含む、実施態様１に記載の方法。
（８）  前記複数の誘導が、鉛直横断面上に構成された６つの胸部誘導を含む、実施態様１に記載の方法。
（９）  心電図（ＥＣＧ）における複数の誘導のうちの１つ又は２つ以上のインピーダンスを測定するための方法であって、
複数の誘導を患者の身体に適用することと、
ＥＣＧ測定間の期間中に前記複数の誘導のうちの対になった誘導にわたるインピーダンス信号を測定することと、
を含む、方法。
（１０）  前記複数の誘導が、標準的な１２誘導ＥＣＧを含む、実施態様９に記載の方法。
【００４０】
（１１）  前記複数の誘導が、３つの四肢誘導を含む、実施態様９に記載の方法。
（１２）  前記複数の誘導が、冠状面においてスポーク状に配置された３つの増高肢誘導を含む、実施態様９に記載の方法。
（１３）  前記複数の誘導が、鉛直横断面上に構成された６つの胸部誘導を含む、実施態様９に記載の方法。
（１４）  前記複数の誘導のうちのいくつかがそれぞれ、前記複数の誘導のうちの隣接する誘導と対になっている、実施態様９に記載の方法。
（１５）  前記対が、前記複数の誘導のうちの前記いくつかのそれぞれに対して２つのインピーダンス測定値を提供する、実施態様１４に記載の方法。
【００４１】
（１６）  前記２つのインピーダンス測定値が平均化されて、前記誘導のインピーダンスを提供する、実施態様１５に記載の方法。
（１７）  心電図（ＥＣＧ）を行い、インピーダンスを測定するためのシステムであって、
電気信号を捕捉するために被験者に取り付けるための複数の誘導と、
前記捕捉された電気信号を処理する信号プロセッサと、
前記処理捕捉された電気信号を出力する出力装置と、
を備え、
測定のインピーダンスが監視され、前記信号プロセッサは、前記処理捕捉された電気信号からインピーダンスを除去する、システム。
（１８）  前記測定に対するインピーダンス情報を提供するように構成された複数のインピーダンスパッドを更に備える、実施態様１７に記載のシステム。
（１９）  カテーテル電極が、前記インピーダンス情報の測定を可能にするために、バーストパルスを提供する、実施態様１８に記載のシステム。
（２０）  前記測定に対する前記インピーダンス情報が、前記複数の電極の対にわたって測定されている、実施態様１７に記載のシステム。
【図１】
2020099697.tif 000003
【図２】
2020099697.tif 000004
【図３】
2020099697.tif 000005
【図４】
2020099697.tif 000006
【図５】
2020099697.tif 000007
【外国語明細書】
2020099697000001.pdf